(57)【要約】      （修正有）【課題】薬剤の名称の入力間違いを防止するとともに、入力作業の手間を減らすことができる処方箋入力装置及び方法を提供する。【解決手段】薬剤の処方箋を光学的に読み取り、処方箋で指定されている薬剤の名称を示す第１薬剤名称を取得する。薬剤の包装に記録されている記録情報を読み取り、患者に処方される薬剤の名称を示す第２薬剤名称を取得する。第１薬剤名称取得部３３が取得した第１薬剤名称に対応する薬剤の有効成分と、第２薬剤名称取得部３５が取得した第２薬剤名称に対応する薬剤の有効成分とが一致しているか否かを照合する。照合で一致しない第１薬剤名称及び第２薬剤名称の少なくとも一方を表示する。処方箋の内容の入力を受け付ける受付部３０に入力されたデータに基づき、調剤情報を生成する。照合で第１薬剤名称及び第２薬剤名称の薬剤の有効成分が一致した場合に、第２薬剤名称を含む前記調剤情報を生成する。【選択図】図２
2015002918.tif 000002
【特許請求の範囲】
【請求項１】
薬剤の処方箋を光学的に読み取った読取結果に基づき、前記処方箋で指定されている薬剤の名称を示す第１薬剤名称を取得する第１薬剤名称取得部と、
患者に処方される薬剤の包装に記録されている記録情報を読み取った読取結果に基づき、患者に処方される薬剤の名称を示す第２薬剤名称を取得する第２薬剤名称取得部と、
前記第１薬剤名称取得部が取得した前記第１薬剤名称に対応する薬剤の有効成分と、前記第２薬剤名称取得部が取得した前記第２薬剤名称に対応する薬剤の有効成分とが一致しているか否かを照合する照合部と、
前記照合部による照合で一致しない前記第１薬剤名称及び前記第２薬剤名称がある場合に、当該第１薬剤名称及び当該第２薬剤名称の少なくとも一方を表示する第１の表示部と、
前記照合部による照合で前記第１薬剤名称及び前記第２薬剤名称の薬剤の有効成分が一致した場合に、当該第２薬剤名称を含む調剤情報を生成する調剤情報生成部と、
を備える処方箋入力装置。
【請求項２】
薬剤の名称を記憶した薬剤名称データベースを備え、
前記第１薬剤名称取得部は、前記処方箋から光学的に読み取ることができた薬剤の名称の少なくとも一部に基づき、前記薬剤名称データベースを参照して前記第１薬剤名称を取得する請求項１記載の処方箋入力装置。
【請求項３】
前記第２薬剤名称取得部は、前記記録情報として前記包装から読み取られた薬剤の名称の少なくとも一部に基づき、前記薬剤名称データベースを参照して前記第２薬剤名称を取得する請求項２記載の処方箋入力装置。
【請求項４】
前記第１薬剤名称の候補が複数あると前記第１薬剤名称取得部が判断した場合に、複数の前記候補を表示する第２の表示部と、
前記候補の選択操作を受け付ける受付部と、
を備える請求項２または３記載の処方箋入力装置。
【請求項５】
先発医薬品と後発医薬品との対応関係を示す情報を記憶した薬剤情報データベースを備え、
前記照合部は、前記薬剤情報データベースを参照して、前記第２薬剤名称を有する薬剤が前記第１薬剤名称を有する薬剤と同じ有効成分の薬剤である場合に、当該第１薬剤名称及び当該第２薬剤名称が一致すると判定する請求項１から４のいずれか１項記載の処方箋入力装置。
【請求項６】
前記第２薬剤名称取得部は、前記処方箋を基にピッキング作業でピッキングされた薬剤の前記包装に記録されている前記記録情報を光学的に読み取る請求項１から５のいずれか１項記載の処方箋入力装置。
【請求項７】
前記第２薬剤名称取得部は、薬剤を分包する分包機に投入される前の薬剤の前記包装に記録されている前記記録情報を光学的に読み取る請求項１から６のいずれか１項記載の処方箋入力装置。
【請求項８】
前記第１薬剤名称取得部は、手書きの前記処方箋を光学的に読み取る請求項１から７のいずれか１項記載の処方箋入力装置。
【請求項９】
前記第１薬剤名称及び前記第２薬剤名称には、薬剤の成分量が含まれる請求項１から８のいずれか１項記載の処方箋入力装置。
【請求項１０】
薬剤の処方箋を光学的に読み取った読取結果に基づき、前記処方箋で指定されている薬剤の名称を示す第１薬剤名称を取得する第１薬剤名称取得ステップと、
患者に処方される薬剤の包装に記録されている記録情報を読み取った読取結果に基づき、患者に処方される薬剤の名称を示す第２薬剤名称を取得する第２薬剤名称取得ステップと、
前記第１薬剤名称取得ステップで取得した前記第１薬剤名称に対応する薬剤の有効成分と、前記第２薬剤名称取得ステップで取得した前記第２薬剤名称に対応する薬剤の有効成分が一致しているか否かを照合する照合ステップと、
前記照合ステップの照合で一致しない前記第１薬剤名称及び前記第２薬剤名称がある場合に、当該第１薬剤名称及び当該第２薬剤名称の少なくとも一方を表示する表示ステップと、
前記照合ステップの照合で前記第１薬剤名称及び前記第２薬剤名称の薬剤の有効成分が一致した場合に、当該第２薬剤名称を含む調剤情報を生成する調剤情報生成ステップと、
を有する処方箋入力方法。
【発明の詳細な説明】
【技術分野】
【０００１】
本発明は、処方箋のデータの入力に用いられる処方箋入力装置及び方法に関する。
【背景技術】
【０００２】
保険薬局では、患者が持参した処方箋に従って、薬剤師が薬剤をピッキングして調剤を行う。この際に、薬剤には非常に似た名称が多いために調剤ミスが発生することがある。このため、特許文献１には、薬剤師がピッキングした薬剤の包装等を撮像して得られた画像と、薬剤の名称を認識するために予めデータベースに記憶されている複数の参照画像とを照合することで、ピッキングされた薬剤が正しいか否かを判定する薬剤認識装置が開示されている。
【０００３】
また、特許文献２及び３には、薬剤を撮像して得られた画像に基づいて薬剤の名称を判別し、この判別結果と外部から入力された処方情報とに基づいて、薬剤の名称の適否を判定する調剤監査装置が開示されている。
【０００４】
ところで、保険薬局では、処方した薬剤費や調剤技術料などを請求するために調剤報酬請求明細書（レセプト）を作成して保険機関に提出する。レセプトはレセプトコンピュータを利用して作られ、保険薬局のオペレータが処方箋の内容（処方する薬剤の名称・量、医療機関の名称や所在地等）を読み取って入力している。現在ではレセプトコンピュータの指示に従って調剤がなされており、入力間違いの防止がますます重要になっている。しかし、前述したように、薬剤には非常に似た名称が多いため、入力間違いが発生し易く、薬剤師が入力を確認するなどの手間が増大している。さらに、入力間違いを防止するために入力作業に時間が掛かる等の入力作業の手間が増加している。
【０００５】
特許文献４及び特許文献５には、処方箋のデータを画像として光学的に読み取り、この画像に対して文字認識を行ってレセプト請求のための処方データ（調剤情報）を取得し、処方データをデータベースに登録する処方情報入力装置が開示されている。文字認識で認識された処方データの登録を自動で行えるため、入力作業の手間を減らすことができる。
【０００６】
特許文献６には、処方箋の画像を光学的に読み取り、この画像から切り出した各文字を認識して文字コード列を生成し、この文字コード列を予め登録された登録単語と照合して認識する際に、登録単語の構成文字の中で照合の対象とすべき文字を限定することで、簡略名称の認識照合を可能とした文字認識処理方法が開示されている。文字認識を行うことで、特許文献４などと同様に、入力作業の手間を減らすことができる。
【先行技術文献】
【特許文献】
【０００７】
【特許文献１】特開２００４−１６７１５８号公報
【特許文献２】特開２０１３−７０７５２号公報
【特許文献３】特開２０１３−４２７９５号公報
【特許文献４】特開２００１−３０６６９７号公報
【特許文献５】特開２００１−３１８９８７号公報
【特許文献６】特開２００５−２７５５１０号公報
【発明の概要】
【発明が解決しようとする課題】
【０００８】
しかしながら、処方箋に記載されている薬剤の名称等は、それを特定することができる範囲での省略が許容されているため、医療機関毎の都合に応じた省略がなされていることがある。また、処方箋は手書きで作成されることがある。このため、特許文献４から特許文献６に記載されている文字認識では十分な精度が得られず、文字認識の認識エラーなどに対応することができない。
【０００９】
また、保険薬局では、処方箋で指定されている薬剤の代わりに、その後発医薬品を処方する場合がある。このような場合には、処方箋で指定されている薬剤の名称と、患者に処方される薬剤の名称とが異なるので、特許文献４から特許文献６に記載されている文字認識で認識された薬剤の名称をレセプトコンピュータに登録することはできず、オペレータが薬剤名等を入力する必要がある。このため、薬剤の名称の入力間違いは依然として発生するおそれがある。
【００１０】
本発明の目的は、薬剤の名称の入力間違いを防止するとともに、入力作業の手間を減らすことができる処方箋入力装置及び方法を提供することにある。
【課題を解決するための手段】
【００１１】
本発明の目的を達成するための処方箋入力装置は、薬剤の処方箋を光学的に読み取った読取結果に基づき、処方箋で指定されている薬剤の名称を示す第１薬剤名称を取得する第１薬剤名称取得部と、患者に処方される薬剤の包装に記録されている記録情報を読み取った読取結果に基づき、患者に処方される薬剤の名称を示す第２薬剤名称を取得する第２薬剤名称取得部と、第１薬剤名称取得部が取得した第１薬剤名称に対応する薬剤の有効成分と、第２薬剤名称取得部が取得した第２薬剤名称に対応する薬剤の有効成分とが一致しているか否かを照合する照合部と、照合部による照合で一致しない第１薬剤名称及び第２薬剤名称がある場合に、第１薬剤名称及び第２薬剤名称の少なくとも一方を表示する第１の表示部と、照合部による照合で第１薬剤名称及び第２薬剤名称の薬剤の有効成分が一致した場合に、第２薬剤名称を含む調剤情報を生成する調剤情報生成部と、を備える。
【００１２】
本発明によれば、薬剤の包装から取得した第２薬剤名称に基づいて調剤情報を生成することができる。これにより、処方箋で指定されている薬剤と同一の有効成分を有する後発医薬品等を処方する場合のように、処方箋で指定されている薬剤と患者に処方される薬剤とが異なる場合であっても、患者に処方される薬剤の名称（第２薬剤名称）に対応した調剤情報を自動で生成することができる。また、処方箋に薬剤の略称が記載されている場合や処方箋が手書の場合であっても、オペレータによる第２薬剤名称の入力作業を行うことなく、調剤情報を生成することができる。
【００１３】
薬剤の名称を記憶した薬剤名称データベースを備え、第１薬剤名称取得部は、処方箋から光学的に読み取ることができた薬剤の名称の少なくとも一部に基づき、薬剤名称データベースを参照して第１薬剤名称を取得することが好ましい。これにより、処方箋の読取結果に基づき第１薬剤名称を取得することができる。
【００１４】
第２薬剤名称取得部は、記録情報として包装から読み取られた薬剤の名称の少なくとも一部に基づき、薬剤名称データベースを参照して第２薬剤名称を取得することが好ましい。これにより、包装の読取結果に基づき第２薬剤名称を取得することができる。
【００１５】
第１薬剤名称の候補が複数あると第１薬剤名称取得部が判断した場合に、複数の候補を表示する第２の表示部と、候補の選択操作を受け付ける受付部と、を備えることが好ましい。これにより、第１薬剤名称を特定できない場合でも、第１薬剤名称に類似している候補の中から第１薬剤名称を選択することができる。
【００１６】
先発医薬品と後発医薬品との対応関係を示す情報を記憶した薬剤情報データベースを備え、照合部は、薬剤情報データベースを参照して、第２薬剤名称を有する薬剤が第１薬剤名称を有する薬剤と同じ有効成分の薬剤である場合に、第１薬剤名称及び第２薬剤名称が一致すると判定することが好ましい。これにより、調剤情報で指定されている薬剤の代わりに同じ有効成分を有する後発医薬品等が薬剤師等によりピッキングされた場合であっても、第１薬剤名称及び第２薬剤名称の一致／不一致を正確に判定することができる。
【００１７】
第２薬剤名称取得部は、処方箋を基にピッキング作業でピッキングされた薬剤の包装に記録されている記録情報を光学的に読み取ることが好ましい。これにより、薬剤の包装に記録されている記録情報に基づき第２薬剤名称を取得することができる。
【００１８】
第２薬剤名称取得部は、薬剤を分包する分包機に投入される前の薬剤の包装に記録されている記録情報を光学的に読み取ることが好ましい。
【００１９】
第１薬剤名称取得部は、手書きの処方箋を光学的に読み取ることが好ましい。
【００２０】
第１薬剤名称及び第２薬剤名称には、薬剤の成分量が含まれることが好ましい。これにより、薬剤の成分量を考慮して、第１薬剤名称及び第２薬剤名称の一致／不一致を正確に判定することができる。
【００２１】
本発明の目的を達成するための処方箋入力方法は、薬剤の処方箋を光学的に読み取った読取結果に基づき、処方箋で指定されている薬剤の名称を示す第１薬剤名称を取得する第１薬剤名称取得ステップと、患者に処方される薬剤の包装に記録されている記録情報を読み取った読取結果に基づき、患者に処方される薬剤の名称を示す第２薬剤名称を取得する第２薬剤名称取得ステップと、第１薬剤名称取得ステップで取得した第１薬剤名称に対応する薬剤の有効成分と、第２薬剤名称取得ステップで取得した第２薬剤名称に対応する薬剤の有効成分が一致しているか否かを照合する照合ステップと、照合ステップの照合で一致しない第１薬剤名称及び第２薬剤名称がある場合に、第１薬剤名称及び第２薬剤名称の少なくとも一方を表示する表示ステップと、照合ステップの照合で第１薬剤名称及び第２薬剤名称の薬剤の有効成分が一致した場合に、第２薬剤名称を含む調剤情報を生成する調剤情報生成ステップと、を有する。
【発明の効果】
【００２２】
本発明の処方箋入力装置及び方法は、薬剤の名称の入力間違いを防止するとともに、入力作業の手間を減らすことができる。
【図面の簡単な説明】
【００２３】
【図１】処方箋入力装置の概略図である。
【図２】レセプトコンピュータの電気的構成を示すブロック図である。
【図３】第１薬剤名称取得部による第１薬剤名称の取得を説明するための説明図である。
【図４】第１薬剤名称の候補の選択処理を説明するための説明図である。
【図５】照合部による照合処理を説明するための説明図である。
【図６】照合部による照合の結果、第１薬剤名称と第２薬剤名称とが一致した場合の表示部の表示、並びに調剤情報生成部による調剤情報の生成処理を説明するための説明図である。
【図７】照合部による照合の結果、第１薬剤名称と第２薬剤名称とが一致しない場合の表示部の表示を説明するための説明図である。
【図８】処方箋入力装置の作用を説明するためのフローチャートである。
【発明を実施するための形態】
【００２４】
＜処方箋入力装置の構成＞
図１に示すように、処方箋入力装置１０は、例えば保険薬局に設けられており、レセプト請求などに用いられる。この処方箋入力装置１０は、本発明の第１薬剤名称取得部の一部を構成する第１カメラ１２と、本発明の第２薬剤名称取得部の一部を構成する第２カメラ１３と、レセプトコンピュータ１４と、本発明の第１の表示部及び第２の表示部を構成する表示部１５と、を備えている。
【００２５】
第１カメラ１２は、患者が持参した処方箋１７を撮像することで、処方箋１７の内容（（処方する薬剤の名称など）を光学的に読み取り、この処方箋１７の画像データ１８（読取結果）をレセプトコンピュータ１４へ出力する。この処方箋１７は、手書で作成されたものを含む。なお、第１カメラ１２の代わりに、処方箋１７の内容を読み取り可能なスキャナ等の各種の光学読取装置を用いてよい。
【００２６】
第２カメラ１３は、ピッキング作業において、処方箋１７を基に薬剤師が薬剤棚２０（自動ピッキング装置を用いても可）からピッキングした薬剤２２の包装２３（ＰＴＰシート、ボトル、ビンなど）に記録されている記録情報２４を撮像する。記録情報２４は、文字やバーコード、ＲＦタグ等に記録された電子的な識別情報などの薬剤２２の名称（薬種、成分量など）を示す薬種情報である。第２カメラ１３による撮像は、分包機２６による１包化調剤の実行前、すなわち、薬剤師が薬剤２２を包装２３から取り出して分包機２６に投入する前に実行される。第２カメラ１３は、記録情報２４を含む包装２３の画像データ２７（読取結果）をレセプトコンピュータ１４へ出力する。なお、記録情報２４がバーコードである場合には第２カメラ１３としてバーコードリーダを用いてもよい。また、記録情報２４がＲＦタグに記録されている場合には、第２カメラ１３の代わりにＲＦタグリーダを用いてもよい。
【００２７】
レセプトコンピュータ１４は、第１カメラ１２と、第２カメラ１３と、表示部１５と、プリンタ２８とに接続している。レセプトコンピュータ１４は、薬剤師やオペレータなどにより入力された処方箋１７の内容と、第１カメラ１２及び第２カメラ１３からそれぞれ入力された画像データ１８，２７とに基づいて、レセプト請求に用いられる調剤情報を生成する。また、レセプトコンピュータ１４は、画像データ１８，２７に基づき、処方箋１７で指定されている薬剤２２の名称と、薬剤師がピッキングした薬剤２２の名称との照合を行い、その照合結果を表示部１５に出力する。さらに、レセプトコンピュータ１４は、薬剤師やオペレータなど操作に従って調剤情報やレセプトをプリンタ２８へ出力する。
【００２８】
図２に示すように、レセプトコンピュータ１４は、操作受付部（受付部）３０と、第１ＯＣＲ処理部３１と、薬剤名称データベース（以下、薬剤名称ＤＢと略す）３２と、第１薬剤名称取得部３３と、第２ＯＣＲ処理部３４と、第２薬剤名称取得部３５と、薬剤情報データベース（以下、薬剤情報ＤＢと略す）３６と、照合部３７と、調剤情報生成部３８と、調剤情報格納部４０と、を有している。
【００２９】
操作受付部３０は、例えばキーボードなどのユーザインタフェースであり、レセプトコンピュータ１４の操作に用いられる。この操作受付部３０は、保険薬局のオペレータ等による処方箋１７の内容の入力を受け付ける。
【００３０】
第１ＯＣＲ処理部３１は、第１カメラ１２から入力される画像データ１８に対してＯＣＲ処理を施すことにより、画像データ１８に基づく画像に含まれる文字（具体的には、処方箋１７に記録されている薬剤２２の名称）を認識する。例えば、第１ＯＣＲ処理部３１は、画像から切り出した各文字を認識して文字コード列を生成し、この文字コード列と予め記憶している登録単語とを照合して一致する単語を決定することで、文字認識を行う。なお、文字認識の方法は特に限定されるものではなく、公知の各種方法を用いてよい。第１ＯＣＲ処理部３１は、文字認識結果４２（図３参照）を第１薬剤名称取得部３３へ出力する。この文字認識結果４２は、処方箋１７から読み取ることができた薬剤２２の名称の少なくとも一部を含むものである。
【００３１】
図３に示すように、薬剤名称ＤＢ３２には、保険薬局で取り扱われる各種の薬剤２２の名称が登録されている。ここでいう薬剤２２の「名称」には、薬剤２２の薬剤名（日本語、外国語）と、薬剤２２の成分量とが含まれる。また、薬剤２２の薬剤名には、薬剤２２の名称をそれが特定できる範囲で省略した「略称」が関連付けて登録されている。そして、薬剤２２の「名称が同一」とは、薬剤名（略称）と成分量とが同一であることである。また、薬剤２２の「名称が非同一」とは、薬剤名（略称）と成分量の少なくともいずれか一方が非同一であることである。従って、薬剤名が同一であっても成分量が異なれば、薬剤２２の名称は非同一となる。
【００３２】
第１薬剤名称取得部３３は、前述の第１カメラ１２及び第１ＯＣＲ処理部３１とともに、本発明の第１薬剤名称取得部を構成するものである。第１薬剤名称取得部３３は、第１ＯＣＲ処理部３１から入力された文字認識結果４２に基づき、薬剤名称ＤＢ３２を参照して、処方箋１７で指定されている薬剤２２の名称を示す第１薬剤名称を取得する。
【００３３】
具体的に、第１薬剤名称取得部３３は、薬剤名称ＤＢ３２から薬剤２２を特定可能な検索キー４５を抽出する。例えば、薬剤２２が「Ａカリウム：５０ｍｇ」であれば、検索キー４５として「Ａカリウム」と「A Potassium」と「Ａ」と「５０ｍｇ」とを抽出する。次いで、第１薬剤名称取得部３３は、検索キー４５と、文字認識結果４２から抽出した文字列（例えば、図中の点線枠で表示）とを照合する。この照合は、例えば正規化相関マッチング等により行うことができる。次いで、第１薬剤名称取得部３３は、薬剤名称ＤＢ３２から次の薬剤２２（Ｂカリウム、１００ｍｇ）を特定可能な検索キー４５を抽出して、文字認識結果４２で抽出した文字列と照合する。
【００３４】
以下同様に、第１薬剤名称取得部３３は、薬剤名称ＤＢ３２から残りの薬剤２２を特定可能な検索キー４５をそれぞれ抽出して文字列との照合を行う。そして、第１薬剤名称取得部３３は、各照合でそれぞれ一致している判断（例えば照合値が所定の第１閾値以上）した薬剤２２の名称を第１薬剤名称として薬剤名称ＤＢ３２から取得する。第１薬剤名称取得部３３は、第１薬剤名称の取得結果４８（図５参照）を照合部３７へ出力する。第１閾値は、文字列が検索キー４５と確実に一致していると判断できる値に設定されている。
【００３５】
一方、第１薬剤名称取得部３３は、各検索キー４５との照合値が第１閾値未満となる文字列について、照合値が第２閾値以上となる全ての検索キー４５に対応する薬剤２２の名称を、第１薬剤名称の候補として薬剤名称ＤＢ３２から取得する。そして、第１薬剤名称取得部３３は、全ての候補を表示部１５へ出力する。第２閾値は、文字列が検索キー４５に対応する薬剤２２の名称と類似していると判断可能な値に設定されている。これにより、例えば文字列が「カリウム」及び「５０ｍｇ」である場合には、第１薬剤名称の候補として、「Ａカリウム  ５０ｍｇ」、「Ｂカリウム  ５０ｍｇ」、「Ｃカリウム  ５０ｍｇ」、・・・が第１薬剤名称取得部３３から表示部１５へ出力される。
【００３６】
図４に示すように、表示部１５は、第１薬剤名称の各候補を表示するとともに、各候補の中からの第１薬剤名称の選択を促す選択画面を表示する。これにより、薬剤師やオペレータ（以下、薬剤師等という）に対して、各候補の中からの第１薬剤名称の選択を促すことができる。なお、第１薬剤名称の選択は、操作受付部３０にて行われる。
【００３７】
なお、第１薬剤名称取得部３３は、各検索キー４５との照合値が第２閾値未満となる文字列について、薬剤２２の名称及び候補を取得不能と判断する。この場合に、第１薬剤名称取得部３３は、薬剤２２の名称及び候補を取得できない文字列があることを示す取得エラー情報（図示は省略）を表示部１５へ出力する。
【００３８】
図２に戻って、第２ＯＣＲ処理部３４は、第２カメラ１３から入力される画像データ２７に対してＯＣＲ処理を施すことにより、画像データ１８に基づく画像に含まれる文字（具体的には、包装２３に記録されている薬剤２２の名称）を認識する。なお、文字認識の方法は、前述の第１ＯＣＲ処理部３１と同一の方法を用いてよい。第２ＯＣＲ処理部３４は、文字認識結果４７を第２薬剤名称取得部３５へ出力する。この文字認識結果４７は、ピッキングされた薬剤２２の名称の少なくとも一部を含むものである。なお、記録情報２４がバーコードである場合、あるいはＲＦタグに記録されている場合には第２ＯＣＲ処理部３４は不要であり、第２薬剤名称取得部３５は、バーコードやＲＦタグの読取結果から第２薬剤名称を取得する。
【００３９】
第２薬剤名称取得部３５は、前述の第２カメラ１３及び第２ＯＣＲ処理部３４とともに、本発明の第２薬剤名称取得部を構成するものである。第２薬剤名称取得部３５は、第２ＯＣＲ処理部３４から入力された文字認識結果４７に基づき、薬剤名称ＤＢ３２を参照して、薬剤師等がピッキングした薬剤２２の名称（分包機２６に投入される薬剤２２の名称）を示す第２薬剤名称を取得する。
【００４０】
具体的に第２薬剤名称取得部３５は、前述の第１薬剤名称取得部３３と同様の照合を行い、各照合でそれぞれ一致している判断した薬剤２２の名称を第２薬剤名称として薬剤名称ＤＢ３２から取得する。そして、第２薬剤名称取得部３５は、第２薬剤名称の取得結果５０（図５参照）を照合部３７へ出力する。
【００４１】
また、第２薬剤名称取得部３５は、各照合にて第１薬剤名称がないと判断した場合（照合値＜第１閾値）でも、第２薬剤名称の候補（第２閾値≦照合値＜第１閾値）がある場合には、全ての候補の名称を表示部１５へ出力する。これにより、図５に示したように、第２薬剤名称の各候補の表示と、各候補の中からの第２薬剤名称の選択を促す選択画面とが表示部１５に表示される。さらに、第２薬剤名称取得部３５は、第２薬剤名称又はその候補がないと判断した場合には、取得エラー情報を表示部１５へ出力する。
【００４２】
図５に示すように、薬剤情報ＤＢ３６には、薬剤２２の名称（薬剤名、成分量）と、同一の有効成分を有する先発医薬品及び後発医薬品（ジェネリック医薬品）の対応関係を示す後発医薬情報とが予め対応づけて記憶されている。図中の「薬剤名」欄及び「成分量」欄には、それぞれ薬剤２２の薬剤名、成分量が記録されている。「後発医薬品情報」欄には、薬剤２２が後発医薬品である場合にはその先発医薬品の薬剤名が記録されている。これにより、薬剤情報ＤＢ３６を参照することで、薬剤２２の先発医薬品又は後発医薬品を判別することができる。
【００４３】
照合部３７は、薬剤情報ＤＢ３６を参照して、第１薬剤名称取得部３３から入力される第１薬剤名称の取得結果４８と、第２薬剤名称取得部３５から入力される第２薬剤名称の取得結果５０とを照合する。そして、照合部３７は、取得結果４８に含まれる全ての第１薬剤名称と、取得結果５０に含まれる全ての第２薬剤名称とがそれぞれ一致する場合に、取得結果４８と取得結果５０とが一致すると判定する。この場合に、照合部３７は、照合結果を表示部１５及び調剤情報生成部３８へそれぞれ出力する。
【００４４】
また、照合部３７は、取得結果４８の少なくとも１つの第１薬剤名称と取得結果５０の少なくとも１つの第２薬剤名称とが一致しない場合、すなわち、第１薬剤名称及び第２薬剤名称の一方に対応する他方がない場合に、取得結果４８と取得結果５０とが一致しないと判定する。この場合に、照合部３７は、一致しない第１薬剤名称及び第２薬剤名称を含む照合結果を表示部１５及び調剤情報生成部３８へ出力する。
【００４５】
この際に、照合部３７は、第１薬剤名称と第２薬剤名称とが一致しない場合であっても、薬剤情報ＤＢ３６を参照した結果、第２薬剤名称を有する薬剤２２が第１薬剤名称を有する薬剤２２と同一の有効成分を有する後発医薬品（先発医薬品でも可）である場合には、両者が一致すると判定する。なお、第２薬剤名称を有する薬剤２２が第１薬剤名称を有する薬剤２２の後発医薬品等でなくても同一の有効線分を有する同種同効薬剤である場合には、両者が一致すると判定する。この場合には、同種同効薬剤の対応関係を示す情報を薬剤情報ＤＢ３６に予め格納しておく。
【００４６】
図６に示すように、表示部１５は、取得結果４８と取得結果５０とが一致する旨の照合結果が照合部３７から入力された場合には、この照合結果とともに、処方箋１７の内容の入力を確定する入力実行操作を促す表示を表示する。この入力実行操作は、操作受付部３０にて実行される。
【００４７】
また、図７に示すように、表示部１５は、第１薬剤名称と第２薬剤名称とが一致しない旨の照合結果が照合部３７から入力された場合に、該当する第１薬剤名称及び第２薬剤名称を含む警告表示を表示する。これにより、例えば、薬剤師による薬剤２２のピッキングの誤り、第１薬剤名称及び第２薬剤名称の取得エラーなどを、薬剤師等に警告することができる。なお、図７では、該当する第１薬剤名称及び第２薬剤名称の両方を表示しているが、第１薬剤名称及び第２薬剤名称の少なくとも一方を表示すればよい。
【００４８】
図６に戻って、調剤情報生成部３８は、プリンタ２８と、操作受付部３０と、照合部３７と、調剤情報格納部４０とに接続している。調剤情報生成部３８は、先に操作受付部３０に入力された処方箋１７の内容を示すデータ（第１薬剤名称、用法等）と、照合部３７の照合結果とに基づいて、レセプト請求などに用いられる調剤情報５２を生成する。
【００４９】
具体的に、調剤情報生成部３８は、取得結果４８と取得結果５０とが一致する旨の照合結果が照合部３７から入力された場合には、処方箋１７で指定されている第１薬剤名称に代えて、取得結果５０に基づいた第２薬剤名称を含む調剤情報５２を生成する。すなわち、処方箋１７に従って薬剤師が実際にピッキングした薬剤２２の名称を含む調剤情報５２を生成する。
【００５０】
例えば、処方箋１７でＡカリウム、Ｂカリウム、Ｃカリウム、Ｄカリウムが指定されているときに、薬剤師がＣカリウムの代わりに後発医薬品Ｘをピッキングするとともに、Ｄカリウムの代わりに後発医薬品Ｙをピッキングした場合は、第１薬剤名称と第２薬剤名称とが一部異なる。このような場合に、調剤情報生成部３８は、第１薬剤名称及び第２薬剤名称を有する薬剤２２の有効成分が一致していれば、取得結果５０に基づき第２薬剤名称である「Ａカリウム、Ｂカリウム、後発医薬品Ｘ、後発医薬品Ｙ」の名称を含む調剤情報５２を生成する。
【００５１】
一方、調剤情報生成部３８は、取得結果４８と取得結果５０とが一致しない旨の照合結果が照合部３７から入力されている場合には、薬剤師等によるピッキングの誤りや、第１薬剤名称及び第２薬剤名称の取得にエラーが生じている可能性があるので、調剤情報５２の生成を行わない。なお、調剤情報５２の生成を行わない代わりに、調剤情報生成部３８が、先に操作受付部３０に入力された処方箋１７の第１薬剤名称を含む調剤情報５２の生成を行ってもよい。
【００５２】
調剤情報生成部３８は、操作受付部３０にて入力実行操作がなされた場合に、生成した調剤情報５２を調剤情報格納部４０及びプリンタ２８に出力する。調剤情報格納部４０は、患者毎に調剤情報５２を格納する。プリンタ２８は、調剤情報５２をプリントする。この調剤情報５２のプリントは、例えば患者への服薬指導に用いられる。
【００５３】
＜処方箋入力装置の作用＞
次に、図８を用いて上記構成の処方箋入力装置１０の作用について説明を行う。薬剤師等は、患者から処方箋１７を受け付けると、操作受付部３０を操作して処方箋１７の内容をレセプトコンピュータ１４に入力する（ステップＳ１）。この処方箋１７の内容を示すデータは、操作受付部３０から調剤情報生成部３８に入力される。
【００５４】
次いで、薬剤師等は、処方箋１７を第１カメラ１２の前にセットした後、操作受付部３０に撮像実行指示を入力する。これにより、第１カメラ１２が処方箋１７を撮像することで、処方箋１７の内容が第１カメラ１２により光学的に読み取られる（ステップＳ２）。第１カメラ１２は、処方箋１７の画像データ１８を第１ＯＣＲ処理部３１へ出力する。
【００５５】
第１ＯＣＲ処理部３１は、第１カメラ１２から入力される画像データ１８に対してＯＣＲ処理を施す（ステップＳ３）。これにより、画像データ１８に基づく画像に含まれる文字列（薬剤名、成分量等）が第１ＯＣＲ処理部３１により認識されて、第１ＯＣＲ処理部３１から第１薬剤名称取得部３３へ文字認識結果４２が出力される。
【００５６】
第１薬剤名称取得部３３は、文字認識結果４２の入力後に、図３に示したように、薬剤名称ＤＢ３２から各薬剤２２をそれぞれ特定可能な検索キー４５を抽出し、各検索キー４５と文字認識結果４２から抽出した文字列とを照合する（ステップＳ４）。そして、第１薬剤名称取得部３３は、各照合でそれぞれ照合値が第１閾値以上となる薬剤２２の名称を第１薬剤名称として薬剤名称ＤＢ３２から取得する（ステップＳ５、第１薬剤名称取得ステップ）。
【００５７】
なお、図８中では図示を省略するが、第１薬剤名称取得部３３は、各検索キー４５との照合値が第１閾値未満となる文字列について、照合値が第２閾値以上となる検索キー４５毎の第１薬剤名称の候補を薬剤名称ＤＢ３２から取得する。そして、第１薬剤名称取得部３３は、全ての候補を表示部１５へ出力する。これにより、図４に示したように、第１薬剤名称の各候補が表示部１５に表示される。そして、薬剤師等が操作受付部３０にて第１薬剤名称の選択操作を行うと、第１薬剤名称取得部３３は、選択操作で選択された候補を第１薬剤名称として取得する。
【００５８】
また、第１薬剤名称取得部３３は、各検索キー４５との照合値が第２閾値未満となる文字列について、薬剤２２の名称及び候補を取得不能と判断する。この場合に、第１薬剤名称取得部３３は、薬剤２２の名称及び候補を取得できない文字列があることを示す取得エラー情報を表示部１５へ出力する。これにより、取得エラー情報が表示部１５に表示される。この場合には、薬剤師等が操作受付部３０にて該当する文字列に対応する第１薬剤名称を入力することにより、第１薬剤名称取得部３３が第１薬剤名称を取得する。
【００５９】
第１薬剤名称取得部３３は、第１薬剤名称の取得結果４８を照合部３７へ出力する。
【００６０】
薬剤師等は、前述のステップＳ１からステップＳ５と並行して、あるいはその前後に、処方箋１７に従って薬剤２２を薬剤棚２０からピッキングする（ステップＳ６）。次いで、薬剤師等は、ピッキングした各薬剤２２の包装２３を第２カメラ１３の前にセットした後、操作受付部３０に撮像実行指示を入力する。これにより、第２カメラ１３が包装２３を撮像する（ステップＳ７）。そして、第２カメラ１３は、包装２３の画像データ２７を第２ＯＣＲ処理部３４へ出力する。
【００６１】
第２ＯＣＲ処理部３４は、第２カメラ１３から入力される画像データ２７に対してＯＣＲ処理を施す（ステップＳ７）。これにより、画像データ２７に基づく包装２３の画像に含まれる記録情報２４の文字列が第２ＯＣＲ処理部３４により認識されて、第２ＯＣＲ処理部３４から第２薬剤名称取得部３５へ文字認識結果４７が出力される。
【００６２】
第２薬剤名称取得部３５は、文字認識結果４７に基づき薬剤名称ＤＢ３２を参照して、前述の第１薬剤名称取得部３３と同様の照合を行うことで、薬剤師がピッキングした薬剤２２（分包機２６に投入される薬剤）の名称を示す第２薬剤名称を取得する（ステップＳ８、第２薬剤名称取得ステップ）。そして、第２薬剤名称取得部３５は、第２薬剤名称の取得結果５０を照合部３７へ出力する。
【００６３】
照合部３７は、薬剤情報ＤＢ３６を参照して、第１薬剤名称取得部３３から入力される第１薬剤名称の取得結果４８と、第２薬剤名称取得部３５から入力される第２薬剤名称の取得結果５０とを照合する（ステップＳ９、照合ステップ）。そして、照合部３７は、取得結果４８に含まれる全ての第１薬剤名称と、取得結果５０に含まれる全ての第２薬剤名称とがそれぞれ一致する場合に、取得結果４８と取得結果５０とが一致すると判定する（ステップＳ１０でＮＯ）。この際に、照合部３７は、第１薬剤名称と第２薬剤名称とが一致しない場合であっても、薬剤情報ＤＢ３６を参照して、第１薬剤名称及び第２薬剤名称の薬剤２２の有効成分が一致しているか否かを照合する。そして、照合部３７は、第１薬剤名称及び第２薬剤名称を有する薬剤が同一有効成分を有する後発医薬品等である場合に、両者が一致すると判定する。
【００６４】
次いで、照合部３７は、取得結果４８と取得結果５０とが一致すると判定した場合に、その旨を示す照合結果を表示部１５及び調剤情報生成部３８へそれぞれ出力する。これにより、前述の図６に示したように、照合部３７による照合結果と、入力実行操作を促す表示とが表示部１５に表示される。
【００６５】
一方、照合部３７は、取得結果４８の少なくとも１つの第１薬剤名称と取得結果５０の少なくとも１つの第２薬剤名称とが一致しない場合に、取得結果４８と取得結果５０とが一致しないと判定する（ステップＳ１０でＹＥＳ）。この場合に、照合部３７は、一致しない第１薬剤名称及び第２薬剤名称を含む照合結果を表示部１５及び調剤情報生成部３８へ出力する。これにより、図７に示したように、該当する第１薬剤名称及び第２薬剤名称を含む警告表示（第１薬剤名称及び第２薬剤名称の少なくても一方で可）が表示部１５に表示される（ステップＳ１１、表示ステップ）。その結果、薬剤２２のピッキングの誤り、第１薬剤名称取得部３３及び第２薬剤名称取得部３５のエラーなどを、薬剤師等に警告することができる。
【００６６】
薬剤師等は、表示部１５に警告表示が表示された場合に、適宜に変更・修正を行う（ステップＳ１２）。例えば、薬剤師等は、薬剤２２のピッキングに誤りがあるか否かを確認して、誤りがある場合には薬剤２２のピッキングをやり直す。また、薬剤師等は、第１薬剤名称及び第２薬剤名称の取得エラーが発生している場合には、前述のステップＳ２からステップＳ５までの処理、及び前述のステップＳ７からステップＳ８までの処理の少なくとも一方を繰り返し実行させる。以下、ステップＳ１０でＮＯと判定されるまで、前述のステップＳ１１，Ｓ１２，Ｓ９の処理が繰り返し実行される。
【００６７】
図６に示した表示部１５の表示と同時に又は前後して、調剤情報生成部３８が作動する。調剤情報生成部３８は、取得結果４８と取得結果５０とが一致する旨の照合結果が照合部３７から入力された場合に、ステップＳ１において操作受付部３０に入力された処方箋１７の内容を示すデータと、取得結果５０とに基づいて調剤情報５２の生成を開始する（ステップＳ１４、調剤情報生成ステップ）。具体的には、図６に示したように、調剤情報生成部３８は、処方箋１７で指定されている第１薬剤名称に代えて、取得結果５０に基づく第２薬剤名称を含む調剤情報５２を生成する。これにより、処方箋１７に従って薬剤師が実際にピッキングした薬剤２２の名称を含む調剤情報５２が生成される。
【００６８】
次いで、図６に示した表示部１５の表示を確認した薬剤師等が操作受付部３０にて入力実行操作を行うと、調剤情報生成部３８は、生成した調剤情報５２を調剤情報格納部４０及びプリンタ２８に出力する（ステップＳ１５）。この調剤情報５２は、調剤情報格納部４０に格納されるとともに、プリンタ２８から出力される（ステップＳ１６）。
【００６９】
以下、薬剤師等が新たな処方箋を受け付ける毎に、上述の各ステップの処理が繰り返し実行される（ステップＳ１７）。
【００７０】
＜処方箋入力装置の作用効果＞
本発明によれば、処方箋１７から取得した第１薬剤名称と薬剤２２の包装２３から取得した第２薬剤名称とを照合して、第１薬剤名称及び第２薬剤名称を有する薬剤２２が同一の有効成分を有するものであれば、第２薬剤名称を含む調剤情報５２が自動的にレセプトコンピュータ１４で生成される。このため、処方箋１７で指定されている薬剤２２の後発医薬品を処方する場合のように、処方箋１７で指定されている薬剤２２と患者に処方される薬剤２２とが異なる場合であっても、患者に処方される薬剤２２の名称をレセプトコンピュータ１４に自動的に入力することができる。また、処方箋１７に薬剤２２の略称が記載されている場合や処方箋１７が手書の場合であっても、薬剤師等によるレセプトコンピュータ１４への第２薬剤名称の入力を行う必要はない。その結果、薬剤の名称の入力間違いを防止するとともに、入力作業の手間を減らすことができる。
【００７１】
＜その他＞
上記実施形態では、取得結果４８と取得結果５０とが一致しないと照合部３７が判定した場合には、その旨を表示部１５の表示面に警告情報を表示しているが、前述の警告情報を音声表示する音声表示部や、その他の各種表示部を用いてもよい。
【００７２】
上記実施形態では、第１カメラ１２と第２カメラ１３とが別々に設けられているが、１つのカメラを第１カメラ１２及び第２カメラ１３として用いてもよい。また、レセプトコンピュータ１４としてパーソナルコンピュータを用いてもよい。さらに、本発明の第１薬剤名称取得部及び第２薬剤名称取得部は、図２等に示した構成に限定されるものではなく、前述したように構成を適宜変更してもよい。
【００７３】
上記実施形態では、レセプトコンピュータ１４で生成された調剤情報５２は調剤情報格納部４０及びプリンタ２８に出力されるが、この調剤情報５２を用いて、分包機２６にて分包された薬剤２２の検査（調剤監査）を行ってもよい。
【符号の説明】
【００７４】
１０…処方箋入力装置，１２…第１カメラ，１３…第２カメラ，１４…レセプトコンピュータ，１５…表示部，２２…薬剤，２３…包装，２４…記録情報，３０…操作受付部，３１…第１ＯＣＲ処理部，３２…薬剤名称データベース，３３…第１薬剤名称取得部，３４…第２ＯＣＲ処理部，３５…第２薬剤名称取得部，３６…薬剤情報データベース，３７…照合部，３８…薬剤情報生成部
【図１】
2015002918.tif 000003
【図２】
2015002918.tif 000004
【図３】
2015002918.tif 000005
【図４】
2015002918.tif 000006
【図５】
2015002918.tif 000007
【図６】
2015002918.tif 000008
【図７】
2015002918.tif 000009
【図８】
2015002918.tif 000010